(57)【要約】【課題】本願が開示する技術は、一つの側面として、収納ユニットを小型化することを目的とする。【解決手段】情報処理装置１０は、筐体１２と、収納ユニット２０と、第二ホルダ６０と、を備える。収納ユニット２０は、第一電子部品４０を収容する第一ホルダ３０と、第一ホルダ３０から第一電子部品４０が引き出される引出しスペース５０と、を有し、筐体１２に収納される。第二ホルダ６０は、第二電子部品８０を収容するとともに収納ユニット２０に回動軸９０を介して連結され、収納ユニット２０に対する回動に伴って、引出しスペース５０に収容される収容状態と引出しスペースから外れた展開状態とに変移される。【選択図】図４
2018181152.tif 000002
【特許請求の範囲】
【請求項１】
筐体と、
第一電子部品を収容する第一ホルダと、前記第一ホルダから前記第一電子部品が引き出される引出しスペースと、を有し、前記筐体に収納される収納ユニットと、
第二電子部品を収容するとともに前記収納ユニットに回動軸を介して連結され、前記収納ユニットに対する回動に伴って、前記引出しスペースに収容される収容状態と該引出しスペースから外れた展開状態とに変移される第二ホルダと、
を備える情報処理装置。
【請求項２】
前記引出しスペースに設けられ、前記第二電子部品から延出する第二電子部品用ケーブルが接続される第二電子部品用コネクタを備える、
請求項１に記載の情報処理装置。
【請求項３】
前記第二ホルダは、前記収容状態で、前記第二電子部品用コネクタの上に配置される、
請求項２に記載の情報処理装置。
【請求項４】
前記第二電子部品用ケーブルは、前記第二電子部品における前記回動軸側の端部から延出される、
請求項２又は請求項３に記載の情報処理装置。
【請求項５】
前記引出しスペースに設けられ、前記第一電子部品から延出する第一電子部品用ケーブルが接続される第一電子部品用コネクタを備える、
請求項１〜請求項４の何れか１項に記載の情報処理装置。
【請求項６】
前記第二ホルダは、前記収容状態で、前記第一電子部品用コネクタの上に配置される、
請求項５に記載の情報処理装置。
【請求項７】
前記第二ホルダに設けられ、前記第一電子部品から延出する第一電子部品用ケーブルが接続される第一電子部品用コネクタを備える、
請求項５に記載の情報処理装置。
【請求項８】
前記収納ユニットは、前記筐体から引き出し可能とされ、
前記引出しスペースは、前記第一ホルダに対して前記収納ユニットの収納方向の手前側に配置される、
請求項１〜請求項７の何れか１項に記載の情報処理装置。
【請求項９】
前記第二電子部品は、前記第二ホルダから前記回動軸の径方向外側へ引き出される、
請求項１〜請求項８の何れか１項に記載の情報処理装置。
【発明の詳細な説明】
【技術分野】
【０００１】
本願が開示する技術は、情報処理装置に関する。
【背景技術】
【０００２】
サーバ等の情報処理装置に収納される収納ユニットがある（例えば、特許文献１参照）。この種の収納ユニットには、複数の電子部品が交換可能に収容される。
【先行技術文献】
【特許文献】
【０００３】
【特許文献１】特開２０１５−１１５５３６号公報
【発明の概要】
【発明が解決しようとする課題】
【０００４】
ところで、例えば、情報処理装置が稼働した状態で、電子部品を交換可能な情報処理装置、すなわち活性保守が可能な情報処理装置がある。この情報処理装置では、例えば、複数の電子部品が、収納ユニットから外側へそれぞれ引き出される。これにより、各電子部品が、収納ユニットから独立して交換可能とされる。
【０００５】
しかしながら、上記の情報処理装置では、電子部品が収納ユニットから外側へ引き出されるため、収納ユニットの外側に電子部品の引出しスペースが必要となる。一方、収納ユニット内に、電子部品の引出しスペースを設けると、収容ユニットが大型化する可能性がある。
【０００６】
本願が開示する技術は、一つの側面として、収納ユニットを小型化することを目的とする。
【課題を解決するための手段】
【０００７】
本願が開示する技術では、情報処理装置は、筐体と、収納ユニットと、第二ホルダと、を備える。収納ユニットは、第一電子部品を収容する第一ホルダと、第一ホルダから第一電子部品が引き出される引出しスペースと、を有し、筐体に収納される。第二ホルダは、第二電子部品を収容するとともに収納ユニットに回動軸を介して連結され、収納ユニットに対する回動に伴って、引出しスペースに収容される収容状態と引出しスペースから外れた展開状態とに変移される。
【発明の効果】
【０００８】
本願が開示する技術によれば、一つの側面として、収納ユニットを小型化することができる。
【図面の簡単な説明】
【０００９】
【図１】図１は、一実施形態に係る情報処理装置を示す斜視図である。
【図２】図２は、図１に示される情報処理装置の筐体から収納ユニットを引き出した状態を示す斜視図である。
【図３】図３は、図２に示される第一ホルダから引出しスペースに第一電子部品を引き出した状態を示す側面図である。
【図４】図４は、図２に示される第二ホルダの展開状態を示す斜視図である。
【図５】図５は、図４に示される第一電子部品及び第二電子部品のコネクタをユニット側コネクタからそれぞれ取り外した状態を示す斜視図である。
【図６】図６は、図４に示される第二ホルダとユニットフレームとを分解した分解斜視図である。
【図７】図７は、図５に示される展開状態の第二ホルダから第二電子部品を引き出した状態を示す斜視図である。
【図８】図８は、第二ホルダの展開状態を模式的に示す図５の８−８線断面図である。
【図９】図９は、一実施形態に係る収納ユニットの変形例を示す図５に対応する斜視図である。
【発明を実施するための形態】
【００１０】
以下、本願が開示する技術の一実施形態について説明する。
【００１１】
（情報処理装置）
図１に示されるように、本実施形態に係る情報処理装置１０は、例えば、サーバ等とされる。この情報処理装置１０は、筐体１２と、収納ユニット２０とを備える。
【００１２】
（筐体）
筐体１２は、箱状に形成される。また、筐体１２の正面側には、収納口１２Ａが形成される。この筐体１２の下段における中央部には、収納ユニット２０が引き出し可能に収納される。なお、筐体１２の中段及び上段には、複数の電子ユニット１４が収納される。また、筐体１２の下段における収納ユニット２０の両側には、電子ユニット１６が収容される。
【００１３】
（収納ユニット）
図２に示されるように、収納ユニット２０は、筐体１２の収納口１２Ａから引き出される。なお、各図に適宜示される矢印Ｐは、筐体１２に対する収納ユニット２０の収納方向（引出し方向）を示す。また、矢印Ｐ１は、筐体１２に対する収納ユニット２０の収納方向の手前側を示し、矢印Ｐ２は、筐体１２に対する収納ユニット２０の収納方向の奥側を示す。さらに、矢印Ｗは、収納ユニット２０（第一ホルダ３０及び第二ホルダ６０）の幅方向を示し、矢印Ｈは、収納ユニット２０の高さ方向を示す。また、以下の説明における手前側及び奥側は、収納ユニット２０の収納方向の手前側及び収納方向の奥側をそれぞれ意味する。
【００１４】
収納ユニット２０は、ユニットフレーム２２と、第一ホルダ３０と、第二ホルダ６０とを有する。ユニットフレーム２２は、収納ユニット２０の収納方向を長手方向として配置される。また、ユニットフレーム２２は、上方が開口された箱状に形成される。このユニットフレーム２２は、ベースパネル部２４と、フロントパネル部２６と、一対のサイドパネル部２８とを有している。
【００１５】
ベースパネル部２４は、収納ユニット２０の収納方向（引出し方向）を長手方向とした長方形状に形成される。このベースパネル部２４によって、収納ユニット２０の床部が形成される。また、ベースパネル部２４における手前側の端部には、フロントパネル部２６が設けられる。
【００１６】
フロントパネル部２６は、ベースパネル部２４の手前側の端部に沿って設けられるとともに、当該端部から上方へ壁状に延出される。このフロントパネル部２６の前面には、作業者が把持する把持部２６Ａが設けられる。なお、把持部２６Ａは、適宜省略可能である。
【００１７】
また、ベースパネル部２４における幅方向（矢印Ｗ方向）両側の端部には、サイドパネル部２８がそれぞれ設けられる。一対のサイドパネル部２８は、ベースパネル部２４における幅方向両側の端部に沿って設けられるとともに、当該端部から上方へ壁状に延出される。
【００１８】
（第一ホルダ）
図３に示されるように、第一ホルダ３０は、収納ユニット２０の奥側に収容される。また、第一ホルダ３０は、収納ユニット２０の手前側が開口された箱状に形成される。この第一ホルダ３０は、複数（本実施形態では、２つ）の第一収容部３２を有する。
【００１９】
複数の第一収容部３２は、収納ユニット２０の高さ方向（矢印Ｈ方向）に並んで配置される。また、各第一収容部３２は、収納ユニット２０の手前側に収容口３２Ａを有する。この第一収容部３２には、収容口３２Ａから第一電子部品４０が収容される。なお、第一収容部３２は、第一電子部品用収容部の一例である。
【００２０】
図２に示されるように、第一ホルダ３０には、ロックアーム３４が設けられる。ロックアーム３４は、第一ホルダ３０の幅方向一方側に配置される。また、ロックアーム３４は、収納ユニット２０の収納方向に沿って配置される。このロックアーム３４は、第一ホルダ３０に片持ち状態で支持される。
【００２１】
ロックアーム３４の先端部は、自由端部とされる。このロックアーム３４の先端部には、ロック部３４Ａが設けられる。ロック部３４Ａは、フック状に形成される。このロック部３４Ａは、第一収容部３２に収容された第一電子部品４０における手前側の端部４０Ｔに解除可能に係止される。これにより、第一収容部３２からの第一電子部品４０の引き出しが制限される。一方、ロックアーム３４が第一ホルダ３０の外側へ弾性変形すると、第一電子部品４０の端部４０Ｔに対するロック部３４Ａの係止状態が解除される。これにより、第一電子部品４０が、第一収容部３２から引き出し可能となる。
【００２２】
なお、ロック部３４Ａは、第一電子部品用ロック部の一例である。また、ロックアーム３４は、適宜省略可能である。
【００２３】
（第一電子部品）
図４に示されるように、第一電子部品４０は、例えば、バッテリとされる。この第一電子部品４０には、ケーブル４２が接続される。ケーブル４２は、第一電子部品４０の手前側の端部４０Ｔから延出される。このケーブル４２の先端部には、コネクタ４４が設けられる。なお、ケーブル４２は、第一電子部品用ケーブルの一例である。
【００２４】
（引出しスペース）
図４及び図５に示されるように、収納ユニット２０における第一ホルダ３０の手前側の領域は、引出しスペース５０とされる。この引出しスペース５０には、第一ホルダ３０の第一収容部３２から第一電子部品４０を引き出すための空間とされる。
【００２５】
引出しスペース５０の床部を形成するベースパネル部２４には、複数のユニット側コネクタ４６が設けられる。複数のユニット側コネクタ４６は、第一電子部品４０に対応して設けられる。各ユニット側コネクタ４６には、第一電子部品４０のケーブル４２のコネクタ４４が着脱可能に接続される。なお、ユニット側コネクタ４６は、第一電子部品用コネクタの一例である。
【００２６】
（第二ホルダ）
図２に示されるように、引出しスペース５０には、第二ホルダ６０が収容される。第二ホルダ６０は、収納ユニット２０の幅方向一方側、及び収納ユニット２０の手前側が開口された箱状に形成される。この第二ホルダ６０は、後述する回動軸９０を介して収納ユニット２０に回動可能に連結される。これにより、第二ホルダ６０は、回動軸９０を中心とした回動に伴って、引出しスペース５０に収容される収容状態（図２に示される状態）と、引出しスペース５０から外れた展開状態（図４に示される状態）とに変移される。
【００２７】
なお、以下の説明における第二ホルダ６０の上下左右は、特に断りがない限り、第二ホルダ６０が引出しスペース５０に収容された状態の上下左右を意味する。
【００２８】
図６に示されるように、第二ホルダ６０は、複数（本実施形態では、２つ）の第二収容部６２を有する。複数の第二収容部６２は、収納ユニット２０の高さ方向に並んで配置される。また、各第二収容部６２は、収納ユニット２０の幅方向他方側（図６において左側）に収容口６２Ａを有する。換言すると、各第二収容部６２は、回動軸９０の径方向外側に収容口６２Ａを有する。この第二収容部６２には、収容口６２Ａを介して第二電子部品８０が収容される。
【００２９】
第二ホルダ６０は、一対の対向壁部６６と、側壁部６８とを有する。一対の対向壁部６６は、収納ユニット２０の高さ方向に互いに対向して配置される。また、一対の対向壁部６６は、側壁部６８を介して接続される。側壁部６８は、一対の対向壁部６６の幅方向一方側（図６において右側）の端部を接続する。
【００３０】
図７に示されるように、第二ホルダ６０には、ロックアーム７０が設けられる。ロックアーム７０は、第二ホルダ６０の一対の対向壁部６６にそれぞれ設けられる。ロックアーム７０は、収納ユニット２０の幅方向に沿って配置される。また、ロックアーム７０の両側には、一対のスリットが形成される。このロックアーム７０は、第二ホルダ６０に片持ち状態で支持される。
【００３１】
ロックアーム７０の先端部は、自由端部とされる。このロックアーム７０の先端部には、ロック部７０Ａが設けられる。ロック部７０Ａは、フック状に形成される。このロック部７０Ａは、第二収容部６２に収容された第二電子部品８０の端部８０Ｔに解除可能に係止される。これにより、第二収容部６２からの第二電子部品８０の引き出しが制限される。また、ロックアーム７０が第一ホルダ３０の外側へ弾性変形すると、第二電子部品８０の端部８０Ｔに対するロック部７０Ａの係止状態が解除される。これにより、第二電子部品８０が第二収容部６２から引き出し可能になる。
【００３２】
なお、ロック部７０Ａは、第二電子部品用ロック部の一例である。また、ロックアーム７０は、適宜省略可能である。
【００３３】
（第二電子部品）
図６に示されるように、第二電子部品８０は、例えば、バッテリとされる。この第二電子部品８０には、ケーブル８２が接続される。ケーブル８２は、第二電子部品８０における回動軸９０側で、かつ、手前側の端部８０Ｅに接続される。図４及び図５に示されるように、第二電子部品８０のケーブル８２の先端部には、コネクタ８４が設けられる。なお、ケーブル８２は、第二電子部品用ケーブルの一例である。
【００３４】
引出しスペース５０の床部を形成するベースパネル部２４には、複数のユニット側コネクタ８６が設けられる。複数のユニット側コネクタ８６は、第二電子部品８０に対応して設けられる。各ユニット側コネクタ８６には、第二電子部品８０のケーブル８２のコネクタ８４が着脱可能に接続される。
【００３５】
（回動軸）
ここで、第二ホルダ６０の回動軸９０について説明する。図６に示されるように、第二ホルダ６０の側壁部６８の外面には、回動軸９０が設けられる。回動軸９０は、収納ユニット２０の収納方向に沿って配置される。一方、収納ユニット２０における幅方向他方側のサイドパネル部２８には、軸受け部９２が設けられる。軸受け部９２は、収納ユニット２０の収納方向に延びる溝状に形成される。この軸受け部９２に回動軸９０が回動可能に支持される。
【００３６】
なお、軸受け部９２の長手方向の端部には、回動軸９０の抜け出しを抑制する抜止め部９４がそれぞれ設けられる。また、サイドパネル部２８は、収納ユニットの幅方向の一端部の一例である。
【００３７】
（第一電子部品及び第二電子部品の交換方法）
次に、収納ユニット２０に収容された第一電子部品４０及び第二電子部品８０の交換方法について説明する。なお、本実施形態では、情報処理装置１０を稼動させた状態、すなわち情報処理装置１０を通電させた状態で、第一電子部品４０及び第二電子部品８０を交換する。
【００３８】
（第二電子部品の交換方法）
はじめに、第二電子部品８０の交換方法について説明する。先ず、図２に示されるように、作業者は、情報処理装置１０の筐体１２に収納された収納ユニット２０を手前側（矢印Ｐ１側）へ引き出す。これにより、収納ユニット２０の引出しスペース５０に収容された第二ホルダ６０を露出させる。
【００３９】
次に、図８に示されるように、作業者は、引出しスペース５０に収容された第二ホルダ６０を、回動軸９０を中心とし、ユニットフレーム２２に対して収納ユニット２０の幅方向他方側（矢印Ｒ１側）へ回動させる。これにより、第二ホルダ６０が、引出しスペース５０に収容された収容状態から、引出しスペース５０から外れた展開状態に変移される。この結果、図４に示されるように、第二ホルダ６０の下に配置されていた第二電子部品８０のコネクタ８４及びユニット側コネクタ８６が露出される。
【００４０】
なお、展開状態では、第二ホルダ６０が、収納ユニット２０の外側に配置される。また、展開状態では、第二ホルダ６０の上下が反転されるとともに、複数の第二収容部６２の収容口６２Ａが収納ユニット２０の幅方向他方側に向けられる。
【００４１】
次に、図５に示されるように、作業者は、ユニット側コネクタ８６から第二電子部品８０のコネクタ８４を取り外す。また、第二電子部品８０の端部８０Ｔに対するロックアーム７０のロック部７０Ａの係止状態を解除する。この状態で、図７に示されるように、作業者は、第二ホルダ６０の第二収容部６２から第二電子部品８０を、収納ユニット２０の幅方向他方側へ引き出す。換言すると、作業者は、第二ホルダ６０の第二収容部６２から第二電子部品８０を、回動軸９０の径方向外側へ引き出す。これにより、第二収容部６２から第二電子部品８０が取り外される。
【００４２】
次に、作業者は、図示しない交換用の第二電子部品を、第二ホルダ６０の第二収容部６２に収容するとともに、当該第二電子部品の端部にロックアーム７０のロック部７０Ａを係止させる。これにより、図示しない交換用の第二電子部品が、ロックアーム７０によって第二収容部６２に保持される。
【００４３】
次に、作業者は、第二電子部品８０のコネクタ８４を、ユニット側コネクタ８６に接続する。これにより、図示しない交換用の第二電子部品が、情報処理装置１０と電気的に接続される。
【００４４】
次に、図８に示されるように、作業者は、収納ユニット２０の外側に配置された第二ホルダ６０を、回動軸９０を中心とし、ユニットフレーム２２に対して収納ユニット２０の幅方向一方側（矢印Ｒ２側）へ回動させる。これにより、図２に示されるように、第二ホルダ６０が、展開状態から収納ユニット２０内の引出しスペース５０に収容される収容状態に変移される。
【００４５】
次に、図１に示されるように、作業者は、筐体１２に対して収納ユニット２０を収納する。これにより、第二電子部品８０が交換される。
【００４６】
（第一電子部品の交換方法）
次に、第一電子部品４０の交換方法について説明する。先ず、図２に示されるように、作業者は、情報処理装置１０の筐体１２に収納された収納ユニット２０を手前側（矢印Ｐ１側）へ引き出す。これにより、収納ユニット２０の引出しスペース５０に収容された第二ホルダ６０及び第一ホルダ３０を露出させる。
【００４７】
次に、図８に示されるように、作業者は、引出しスペース５０に収容された第二ホルダ６０を回動させ、収容状態から展開状態に変移させる。この結果、図４に示されるように、第二ホルダ６０の下に配置されていた第一電子部品４０用の複数のユニット側コネクタ４６が、引出しスペース５０に露出される。
【００４８】
次に、図５に示されるように、作業者は、ユニット側コネクタ４６から第一電子部品４０のコネクタ４４を取り外す。また、第一電子部品４０の端部４０Ｔに対するロックアーム３４のロック部３４Ａの係止状態を解除する。この状態で、図３に示されるように、作業者は、第一ホルダ３０の第一収容部３２から第一電子部品４０を引出しスペース５０へ引き出す。これにより、第二収容部６２から、第二電子部品８０が取り外される。
【００４９】
次に、作業者は、図示しない交換用の第一電子部品を、第一ホルダ３０の第一収容部３２に収容するとともに、当該第一電子部品の端部にロックアーム３４のロック部３４Ａを係止させる。これにより、図示しない交換用の第一電子部品が、ロックアーム３４によって第一収容部３２に保持される。
【００５０】
次に、作業者は、第一電子部品４０のコネクタ４４を、ユニット側コネクタ４６に接続する。これにより、図示しない交換用の第一電子部品が、情報処理装置１０と電気的に接続される。
【００５１】
次に、作業者は、図８に示されるように、収納ユニット２０の外側に配置された第二ホルダ６０を、回動軸９０を中心とし、ユニットフレーム２２に対して収納ユニット２０の幅方向一方側（矢印Ｒ２側）へ回動させる。これにより、図２に示されるように、第二ホルダ６０が、収納ユニット２０の外側に配置された展開状態から、収納ユニット２０内の引出しスペース５０に収容された収容状態に変移される。
【００５２】
次に、図１に示されるように、作業者は、筐体１２に対して収納ユニット２０を収納する。これにより、第一電子部品４０が交換される。
【００５３】
（作用及び効果）
次に、本実施形態の作用及び効果について説明する。
【００５４】
本実施形態に係る情報処理装置１０によれば、筐体１２には、収納ユニット２０が収納される。収納ユニット２０は、第一ホルダ３０と、引出しスペース５０とを有する。第一ホルダ３０には、第一電子部品４０が収容される。また、第一ホルダ３０に収容された第一電子部品４０は、第一ホルダ３０から収納ユニット２０内の引出しスペース５０に引き出される。
【００５５】
ここで、比較例として、例えば、第一電子部品４０が収納ユニット２０の外側へ引き出される場合、収納ユニット２０の外側に、第一電子部品４０の引出しスペースを確保する必要がある。この場合、収納ユニット２０の設置場所（引き出し場所）が制限される可能性がある。
【００５６】
これに対して本実施形態では、前述したように、第一電子部品４０は、第一ホルダ３０から収納ユニット２０内の引出しスペース５０に引き出される。そのため、収納ユニット２０の外側に、第一電子部品４０の引出しスペースを確保する必要がない。したがって、本実施形態では、第一電子部品４０を収納ユニット２０の外側へ引き出す場合と比較して、収納ユニット２０の設置場所の自由度を高めることができる。
【００５７】
一方、収納ユニット２０内に引出しスペース５０が設けられると、収納ユニット２０が大型化する可能性がある。これに対して本実施形態の引出しスペース５０には、第二ホルダ６０が収容される。この第二ホルダ６０には、第二電子部品８０が収容される。これにより、本実施形態では、引出しスペース５０とは別に収納ユニット２０内に第二電子部品８０の収容スペースを確保する場合と比較して、収納ユニット２０の小型化を図ることができる。
【００５８】
また、第二ホルダ６０は、回動軸９０を介して収納ユニット２０に連結される。この第二ホルダ６０は、回動軸９０を中心とした回動に伴って、引出しスペース５０に収容される収容状態と、引出しスペース５０から外れた展開状態とに変移される。そして、第二ホルダ６０が収容状態から展開状態に変移されると、第一ホルダ３０から引出しスペース５０に第一電子部品４０が引き出し可能になる。
【００５９】
このように本実施形態では、収納ユニット２０内に第一電子部品４０の引出しスペース５０を確保しつつ、収納ユニット２０の小型化を図ることができる。
【００６０】
さらに、回動軸９０は、収納ユニット２０の収納方向に沿って配置される。これにより、本実施形態では、回動軸９０が収納ユニット２０の幅方向に沿って配置される場合と比較して、収納ユニット２０の幅を狭くすることができる。
【００６１】
また、第一ホルダ３０と引出しスペース５０とは、筐体１２に対する収納ユニット２０の収納方向に並んで配置される。これにより、本実施形態では、第一ホルダ３０と引出しスペース５０とが、収納ユニット２０の幅方向に並んで配置される場合と比較して、収納ユニット２０の幅を狭くすることができる。
【００６２】
しかも、引出しスペース５０は、第一ホルダ３０に対して収納ユニット２０の収納方向の手前側に配置される。これにより、筐体１２から第一ホルダ３０の全体を引き出さない状態であっても、第一電子部品４０を第一ホルダ３０から引出しスペース５０に引き出すことができる。そのため、第一電子部品４０が交換される際に、筐体１２から引き出す収納ユニット２０の引出し量を短くすることができる。したがって、収納ユニット２０の設置場所の自由度を高めることができる。
【００６３】
また、第二電子部品８０は、第二ホルダ６０から回動軸９０の径方向外側へ引き出される。つまり、第二電子部品８０の引出し方向は、第二ホルダ６０の回動角度に応じて調整することができる。したがって、収納ユニット２０の設置場所の自由度をさらに高めることができる。
【００６４】
また、収納ユニット２０内の引出しスペース５０には、第一電子部品４０及び第二電子部品８０のコネクタ４４，８４が接続されるユニット側コネクタ４６，８６が設けられる。そして、第二ホルダ６０が収容状態から展開状態に変移されると、第一電子部品４０及び第二電子部品８０のコネクタ４４，８４及びユニット側コネクタ４６，８６が引出しスペース５０に露出される。つまり、本実施形態では、収納ユニット２０内の引出しスペース５０に、第一電子部品４０及び第二電子部品８０のコネクタ４４，８４の着脱作業スペースが確保される。
【００６５】
ここで、比較例として、例えば電子部品の交換時に、電子部品と共に当該電子部品のコネクタ及びユニット側コネクタを収納ユニットの外側へ引き出し、収納ユニットの外側で電子部品のコネクタとユニット側コネクタとを着脱することが考えられる。しかしながら、この場合、電子部品のケーブル、及びユニット側コネクタのケーブルが長くなる可能性がある。この結果、ケーブルの収容スペースが増加し、収納ユニットが大型化する可能性がある。
【００６６】
これに対して本実施形態では、前述したように、収納ユニット２０内の引出しスペース５０に、第一電子部品４０及び第二電子部品８０のコネクタ４４，８４及びユニット側コネクタ４６，８６が設けられる。これにより、本実施形態では、前述した比較例よりも第一電子部品４０及び第二電子部品８０のケーブル４２，８２、及びユニット側コネクタ４６，８６のケーブルを短くすることができる。そのため、ケーブル４２，８２の収容スペースを狭くすることができる。したがって、収納ユニット２０の小型化を図ることができる。
【００６７】
また、第二電子部品８０は、第二ホルダ６０と共に回動軸９０を中心として回動するため、第二電子部品８０のケーブル８２には余長が必要となる。このケーブル８２の余長は、第二電子部品８０とケーブル８２との接続位置が、回動軸９０から離れに従って長くなる。
【００６８】
これに対して本実施形態では、第二電子部品８０における回動軸９０側の端部８０Ｅからケーブル８２が延出する。これにより、本実施形態では、第二電子部品８０における回動軸９０と反対側の端部からケーブル８２が延出する場合と比較して、ケーブル８２の余長を短くすることができる。したがって、第二電子部品８０のケーブル８２の収容スペースをさらに狭くすることができる。
【００６９】
（変形例）
次に、上記実施形態の変形例について説明する。
【００７０】
上記実施形態では、第一電子部品４０のユニット側コネクタ４６が引出しスペース５０に設けられる。しかしながら、第一電子部品４０のユニット側コネクタ４６は、例えば、図９に示されるように、第二ホルダ６０に設けられても良い。
【００７１】
具体的には、第二ホルダ６０の一対の対向壁部６６のうち、下側（ベースパネル部２４側）の対向壁部６６の外面には、ユニット側コネクタ４６が設けられる。このユニット側コネクタ４６には、第一ホルダ３０に収容される２つの第二電子部品８０のうち、第一ホルダ３０の上段の第二収容部６２に収容される第二電子部品８０のコネクタ８４が接続される。
【００７２】
これにより、第二ホルダ６０が収容状態から展開状態に変移されたときに、第一ホルダ３０の上段の第二収容部６２に収容された第一電子部品４０のケーブル４２が、第二ホルダ６０と共に引出しスペース５０から外れた位置に配置される。この結果、第一ホルダ３０の下段の第二収容部６２に収容された第一電子部品４０を引出しスペース５０に引き出し易くなる。したがって、第一ホルダ３０の上段の第二収容部６２に収容された第一電子部品４０を交換し易くなる。
【００７３】
次に、上記実施形態では、第一ホルダ３０の２つの第一収容部３２が、収納ユニット２０の高さ方向に並んで配置される。しかしながら、第一ホルダ３０には、例えば、収納ユニット２０の幅方向に並ぶ複数の第一電子部品用収容部が設けられても良い。また、第一ホルダ３０には、少なくとも１つの第一電子部品用収容部を設けることができる。
【００７４】
これと同様に、上記実施形態では、第二ホルダ６０の２つの第二収容部６２が、収容状態において収納ユニット２０の高さ方向に並んで配置される。しかしながら、第二ホルダ６０には、例えば、収容状態において、収納ユニット２０の幅方向に並ぶ複数の第二電子部品用収容部が設けられても良い。また、第二ホルダ６０には、少なくとも１つの第二電子部品用収容部を設けることができる。
【００７５】
また、上記実施形態では、引出しスペース５０に、第一電子部品４０及び第二電子部品８０のコネクタ４４，８４及びユニット側コネクタ４６，８６が設けられる。しかしながら、第一電子部品４０及び第二電子部品８０のコネクタ４４，８４及びユニット側コネクタ４６，８６は、収納ユニット２０における引出しスペース５０以外のスペースに設けられても良い。
【００７６】
また、上記実施形態では、第二ホルダ６０の回動軸９０が収納ユニット２０の収納方向に沿って配置される。しかしながら、第二ホルダ６０の回動軸は、例えば、収納ユニット２０の幅方向に沿って配置されても良い。
【００７７】
また、上記実施形態では、第一ホルダ３０と引出しスペース５０とが収納ユニット２０の収納方向に並んで配置される。しかしながら、第一ホルダ３０と引出しスペース５０とは、例えば、収納ユニット２０の幅方向に並んで配置されても良い。
【００７８】
さらに、上記実施形態では、第一電子部品４０が、バッテリとされる。しかしながら、第一電子部品４０は、例えば、記憶装置（ＨＤＤ及びＳＳＤを含む）、冷却ファン、又は拡張カードとされても良い。これと同様に、第二電子部品８０は、バッテリに限らず、例えば、記憶装置（ＨＤＤ及びＳＳＤを含む）、冷却ファン、又は拡張カードとされても良い。
【００７９】
また、上記実施形態では、情報処理装置１０が稼動した状態で、第一電子部品４０及び第二電子部品８０が交換される。しかしながら、第一電子部品４０及び第二電子部品８０は、情報処理装置１０が稼動していない状態で、交換されても良い。
【００８０】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００８１】
なお、以上の実施形態に関し、さらに以下の付記を開示する。
【００８２】
（付記１）
筐体と、
第一電子部品を収容する第一ホルダと、前記第一ホルダから前記第一電子部品が引き出される引出しスペースと、を有し、前記筐体に収納される収納ユニットと、
第二電子部品を収容するとともに前記収納ユニットに回動軸を介して連結され、前記収納ユニットに対する回動に伴って、前記引出しスペースに収容される収容状態と該引出しスペースから外れた展開状態とに変移される第二ホルダと、
を備える情報処理装置。
（付記２）
前記引出しスペースに設けられ、前記第二電子部品から延出する第二電子部品用ケーブルが接続される第二電子部品用コネクタを備える、
付記１に記載の情報処理装置。
（付記３）
前記第二ホルダは、前記収容状態で、前記第二電子部品用コネクタの上に配置される、
付記２に記載の情報処理装置。
（付記４）
前記第二電子部品用ケーブルは、前記第二電子部品における前記回動軸側の端部から延出される、
付記２又は付記３に記載の情報処理装置。
（付記５）
前記引出しスペースに設けられ、前記第一電子部品から延出する第一電子部品用ケーブルが接続される第一電子部品用コネクタを備える、
付記１〜付記４の何れか１つに記載の情報処理装置。
（付記６）
前記第二ホルダは、前記収容状態で、前記第一電子部品用コネクタの上に配置される、
付記５に記載の情報処理装置。
（付記７）
前記第二ホルダに設けられ、前記第一電子部品から延出する第一電子部品用ケーブルが接続される第一電子部品用コネクタを備える、
付記５に記載の情報処理装置。
（付記８）
前記第一ホルダと前記引出しスペースとは、前記筐体に対する前記収納ユニットの収納方向に並ぶ、
付記１〜付記７の何れか１つに記載の情報処理装置。
（付記９）
前記収納ユニットは、前記筐体から引き出し可能とされ、
前記引出しスペースは、前記第一ホルダに対して前記収納ユニットの収納方向の手前側に配置される、
付記８に記載の情報処理装置。
（付記１０）
前記第二電子部品は、前記第二ホルダから前記回動軸の径方向外側へ引き出される、
付記１〜付記９の何れか１つに記載の情報処理装置。
（付記１１）
前記回動軸は、前記収納ユニットの収納方向に沿って配置される、
付記１〜付記１０の何れか１つに記載の情報処理装置。
（付記１２）
前記回動軸は、前記収納ユニットの幅方向の一端部に沿って配置される、
付記１〜付記１１の何れか１つに記載の情報処理装置。
（付記１３）
前記第二ホルダは、複数の前記第二電子部品を収容する複数の第二電子部品用収容部を有する、
付記１〜付記１２の何れか１つに記載の情報処理装置。
（付記１４）
複数の前記第二電子部品用収容部は、前記第二ホルダの収容状態で、前記収納ユニットの高さ方向に並ぶ、
付記１３に記載の情報処理装置。
（付記１５）
前記第一ホルダは、複数の前記第一電子部品を収容する複数の第一電子部品用収容部を有する、
付記１〜付記１４の何れか１つに記載の情報処理装置。
（付記１６）
複数の前記第一電子部品用収容部は、前記収納ユニットの高さ方向に並ぶ、
付記１５に記載の情報処理装置。
（付記１７）
前記第一ホルダに設けられ、前記第一電子部品に解除可能に係止され、前記第一ホルダからの前記第一電子部品の引き出しを制限する第一電子部品用ロック部を備える、
付記１〜付記１６の何れか１つに記載の情報処理装置。
（付記１８）
前記第二ホルダに設けられ、前記第二電子部品に解除可能に係止され、前記第二ホルダからの前記第二電子部品の引き出しを制限する第二電子部品用ロック部を備える、
付記１〜付記１７の何れか１つに記載の情報処理装置。
（付記１９）
前記第一電子部品は、バッテリ、記憶装置、冷却ファン、及び拡張カードの少なくとも１つを含み、
前記第二電子部品は、バッテリ、記憶装置、冷却ファン、及び拡張カードの少なくとも１つを含む、
付記１〜付記１８の何れか１つに記載の情報処理装置。
（付記２０）
情報処理装置の筐体に収納される収納ユニットであって、
ユニットフレームと、
前記ユニットフレームに設けられ、第一電子部品を収容する第一ホルダと、
前記ユニットフレームに設けられ、前記第一ホルダから前記第一電子部品が引き出される引出しスペースと、
第二電子部品を収容するとともに前記ユニットフレームに回動軸を介して連結され、前記ユニットフレームに対する回動に伴って、前記引出しスペースに収容される収容状態と該引出しスペースから外れた展開状態とに変移される第二ホルダと、
を備える収納ユニット。
【符号の説明】
【００８３】
１０    情報処理装置
１２    筐体
２０    収納ユニット
２２    ユニットフレーム
２８    サイドパネル部（収納ユニットの幅方向の一端部の一例）
３０    第一ホルダ
３２    第一収容部（第一電子部品用収容部の一例）
３４    ロックアーム
３４Ａ  ロック部（第一電子部品用ロック部の一例）
４０    第一電子部品
４２    ケーブル（第一電子部品用ケーブルの一例）
４６    ユニット側コネクタ（第一電子部品用コネクタの一例）
５０    引出しスペース
６０    第二ホルダ
６２    第二収容部（第二電子部品用収容部の一例）
７０    ロックアーム
７０Ａ  ロック部（第二電子部品用ロック部の一例）
８０Ｅ  端部（第二電子部品における回動軸側の端部の一例）
８０    第二電子部品
８２    ケーブル（第二電子部品用ケーブルの一例）
８６    ユニット側コネクタ（第二電子部品用コネクタの一例）
９０    回動軸
【図１】
2018181152.tif 000003
【図２】
2018181152.tif 000004
【図３】
2018181152.tif 000005
【図４】
2018181152.tif 000006
【図５】
2018181152.tif 000007
【図６】
2018181152.tif 000008
【図７】
2018181152.tif 000009
【図８】
2018181152.tif 000010
【図９】
2018181152.tif 000011